(57)【要約】      （修正有）【課題】よりスムーズに開口部を拡開することが可能なパウチ容器を提供すること。【解決手段】表面シート１Ａと裏面シート１Ｂとを備えるパウチ容器Ａ１であって、第１主部２Ａと第２主部２Ｂとに囲まれた空間が内容物の充填部５１を形成し、充填部５１に繋がる開口部５２が、パウチ容器上部の第１主部２Ａと第２主部２Ｂとの間に形成されており、パウチ容器Ａ１は、さらに、第１主部２Ａと第１副部３Ａとの間に形成された第１内部空間４Ａと、第２主部２Ｂと第２副部３Ｂとの間に形成された第２内部空間４Ｂと、第１内部空間４Ａに指を挿入可能に、第１副部３Ａに形成された第１挿通口と、第２内部空間４Ｂに指を挿入可能に、第２副部３Ｂに形成された第２挿通口と、を備え、第１副部３Ａの端縁の少なくとも一部は、第１主部２Ａに繋がっておらず、第２副部３Ｂの端縁の少なくとも一部は、第２主部２Ｂに繋がっていない。【選択図】図３
2019043620.tif 000002
【特許請求の範囲】
【請求項１】
表面シートと裏面シートとを備えるパウチ容器であって、
前記表面シートは、第１主部、当該第１主部の上側に繋がる第１折り返し部及び当該第１折り返し部に繋がり且つ前記第１主部の外側に設けられた第１副部を有し、
前記裏面シートは、第２主部、当該第２主部の上側に繋がる第２折り返し部及び当該第２折り返し部に繋がり且つ前記第２主部の外側に設けられた第２副部を有し、
前記第１主部と前記第２主部とに囲まれた空間が内容物の充填部を形成し、
前記充填部に繋がる開口部が、前記パウチ容器上部の前記第１主部と前記第２主部との間に形成されており、
前記パウチ容器は、さらに、
前記第１主部と前記第１副部との間に形成された第１内部空間と、
前記第２主部と前記第２副部との間に形成された第２内部空間と、
前記第１内部空間に一部が位置する指を挿通させるための、前記第１副部に形成された第１挿通口と、
前記第２内部空間に一部が位置する指を挿通させるための、前記第２副部に形成された第２挿通口と、
を備え、
前記第１副部の端縁の少なくとも一部は、前記第１主部に繋がっておらず、
前記第２副部の端縁の少なくとも一部は、前記第２主部に繋がっていない、パウチ容器。
【請求項２】
前記第１主部と前記第１副部とが折り返された状態及び前記第２主部と前記第２副部とが折り返された状態の少なくともいずれかを維持する折返し維持部を備える、請求項１に記載のパウチ容器。
【請求項３】
前記第１主部と前記第１副部とを接合する第１接合部と、前記第２主部と前記第２副部とを接合する第２接合部と、により前記折返し維持部が構成されている、請求項２に記載のパウチ容器。
【請求項４】
前記第１副部は、凸状に膨らむ曲線で構成された第１切り欠き又は第１切り込みと、当該第１切り欠き又は第１切り込み及びこれらの両端を結ぶ仮想線で囲まれた第１舌片と、を有し、
前記第２副部は、凸状に膨らむ曲線で構成された第２切り欠き又は第２切り込みと、当該第２切り欠き又は第２切り込み及びこれらの両端を結ぶ仮想線で囲まれた第２舌片と、を有し、
前記第１接合部において前記第１舌片と前記第１主部とが接合されており、
前記第２接合部において前記第２舌片と前記第２主部とが接合されている、請求項３に記載のパウチ容器。
【請求項５】
前記第１副部は、容器幅方向内方に向かって凸状に膨らむ曲線で構成された第１切り欠き又は第１切り込みと、当該第１切り欠き又は第１切り込み及びこれらの両端を結ぶ仮想線で囲まれた第１舌片と、を有し、
前記第２副部は、容器幅方向内方に向かって凸状に膨らむ曲線で構成された第２切り欠き又は第２切り込みと、当該第２切り欠き又は第２切り込み及びこれらの両端を結ぶ仮想線で囲まれた第２舌片と、を有し、
前記第１舌片及び前記第２舌片がそれぞれ折り返された状態で、前記第１主部及び前記第２主部よりも容器幅方向外方において互いに接合された接合部により、前記折返し維持部が構成されている、請求項２に記載のパウチ容器。
【請求項６】
前記折返し維持部は、前記第１副部の端縁に沿う形状とされた第１高剛性体が前記第１副部に接合され、前記第２副部の端縁に沿う形状とされた第２高剛性体が前記第２副部に接合されることにより構成されている、請求項２に記載のパウチ容器。
【請求項７】
前記第１主部と前記第２主部との容器幅方向における両側端部同士が接合され、且つそれぞれの上端が前記第１折り返し部及び前記第２折り返し部の容器幅方向両端に位置する一対の側方シール部を備え、
前記第１挿通口及び前記第２挿通口は、容器幅方向一方側に偏って設けられており、
前記一対の側方シール部のうち容器幅方向他方側に位置するものの上端は、容器幅方向一方側に位置するものの上端よりも上方に位置しており、
前記第１副部は、前記第１折り返し部を最長の辺とする正面視三角形状であり、
前記第２副部は、前記第２折り返し部を最長の辺とする正面視三角形状である、請求項１ないし６のいずれかに記載のパウチ容器。
【発明の詳細な説明】
【技術分野】
【０００１】
本発明は、パウチ容器に関する。
【背景技術】
【０００２】
パウチ容器は、密封性や取り扱い性に優れることから、食料品やトイレタリー製品はもとより、経腸栄養剤や静脈栄養剤、輸液等の容器としても広く用いられている。栄養剤を患者に投与する際に使用される医療用パウチ容器には、栄養剤やその希釈液を注入するための開口部が設けられている。
【０００３】
上記開口部から栄養剤等を注入する場合には、たとえば、容器の開口部周辺を片手で把持しながら開口部を押し広げる。このような作業は不安定であり、作業性の改善が求められている。このような状況に鑑みて、表面シートと裏面シートの外面に固定された軟質プラスチックシートとの間に側方から指を挿入するための貫通路を形成する１対の開閉操作部を備えた医療用パウチ容器が提案されている（特許文献１参照）。
【先行技術文献】
【特許文献】
【０００４】
【特許文献１】特開２０１１−７８７３７号公報
【発明の概要】
【発明が解決しようとする課題】
【０００５】
上記特許文献１に開示されたパウチ容器においては、軟質プラスチックシートの上端縁及び下端縁それぞれが全長に渡って表面シート及び裏面シートに接合されている。このため、一対の開閉操作部を用いて開口部を拡開しようとすると、軟質プラスチックシートと表面シート及び裏面シートとの接合部によって、開口部を拡開するための変形が妨げられることが懸念される。
【０００６】
本発明は、上記した事情のもとで考え出されたものであって、よりスムーズに開口部を拡開することが可能なパウチ容器を提供することをその課題とする。
【課題を解決するための手段】
【０００７】
本発明によって提供されるパウチ容器は、表面シートと裏面シートとを備えるパウチ容器であって、前記表面シートは、第１主部、当該第１主部の上側に繋がる第１折り返し部及び当該第１折り返し部に繋がり且つ前記第１主部の外側に設けられた第１副部を有し、前記裏面シートは、第２主部、当該第２主部の上側に繋がる第２折り返し部及び当該第２折り返し部に繋がり且つ前記第２主部の外側に設けられた第２副部を有し、前記第１主部と前記第２主部とに囲まれた空間が内容物の充填部を形成し、前記充填部に繋がる開口部が、前記パウチ容器上部の前記第１主部と前記第２主部との間に形成されており、前記パウチ容器は、さらに、前記第１主部と前記第１副部との間に形成された第１内部空間と、前記第２主部と前記第２副部との間に形成された第２内部空間と、前記第１内部空間に一部が位置する指を挿通させるための、前記第１副部に形成された第１挿通口と、前記第２内部空間に一部が位置する指を挿通させるための、前記第２副部に形成された第２挿通口と、を備え、前記第１副部の端縁の少なくとも一部は、前記第１主部に繋がっておらず、前記第２副部の端縁の少なくとも一部は、前記第２主部に繋がっていない。
【０００８】
本発明の好ましい実施の形態においては、前記第１主部と前記第１副部とが折り返された状態及び前記第２主部と前記第２副部とが折り返された状態の少なくともいずれかを維持する折返し維持部を備える。
【０００９】
本発明の好ましい実施の形態においては、前記第１主部と前記第１副部とを接合する第１接合部と、前記第２主部と前記第２副部とを接合する第２接合部と、により前記折返し維持部が構成されている。
【００１０】
本発明の好ましい実施の形態においては、前記第１副部は、凸状に膨らむ曲線で構成された第１切り欠き又は第１切り込みと、当該第１切り欠き又は第１切り込み及びこれらの両端を結ぶ仮想線で囲まれた第１舌片と、を有し、前記第２副部は、凸状に膨らむ曲線で構成された第２切り欠き又は第２切り込みと、当該第２切り欠き又は第２切り込み及びこれらの両端を結ぶ仮想線で囲まれた第２舌片と、を有し、前記第１接合部において前記第１舌片と前記第１主部とが接合されており、前記第２接合部において前記第２舌片と前記第２主部とが接合されている。
【００１１】
本発明の好ましい実施の形態においては、前記第１副部は、容器幅方向内方に向かって凸状に膨らむ曲線で構成された第１切り欠き又は第１切り込みと、当該第１切り欠き又は第１切り込み及びこれらの両端を結ぶ仮想線で囲まれた第１舌片と、を有し、前記第２副部は、容器幅方向内方に向かって凸状に膨らむ曲線で構成された第２切り欠き又は第２切り込みと、当該第２切り欠き又は第２切り込み及びこれらの両端を結ぶ仮想線で囲まれた第２舌片と、を有し、前記第１舌片及び前記第２舌片がそれぞれ折り返された状態で、前記第１主部及び前記第２主部よりも容器幅方向外方において互いに接合された接合部により、前記折返し維持部が構成されている。
【００１２】
本発明の好ましい実施の形態においては、前記折返し維持部は、前記第１副部の端縁に沿う形状とされた第１高剛性体が前記第１副部に接合され、前記第２副部の端縁に沿う形状とされた第２高剛性体が前記第２副部に接合されることにより構成されている。
【００１３】
本発明の好ましい実施の形態においては、前記第１主部と前記第２主部との容器幅方向における両側端部同士が接合され、且つそれぞれの上端が前記第１折り返し部及び前記第２折り返し部の容器幅方向両端に位置する一対の側方シール部を備え、前記第１挿通口及び前記第２挿通口は、容器幅方向一方側に偏って設けられており、前記一対の側方シール部のうち容器幅方向他方側に位置するものの上端は、容器幅方向一方側に位置するものの上端よりも上方に位置しており、前記第１副部は、前記第１折り返し部を最長の辺とする正面視三角形状であり、前記第２副部は、前記第２折り返し部を最長の辺とする正面視三角形状である。
【００１４】
本発明の好ましい実施の形態においては、前記第１副部は、容器幅方向内方に向かって凸状に膨らむ曲線で構成された第１切り欠き又は第１切り込みと、当該第１切り欠き又は第１切り込み及びこれらの両端を結ぶ仮想線で囲まれた第１舌片と、を有し、前記第２副部は、容器幅方向内方に向かって凸状に膨らむ曲線で構成された第２切り欠き又は第２切り込みと、当該第２切り欠き又は第２切り込み及びこれらの両端を結ぶ仮想線で囲まれた第２舌片と、を有し、前記第１舌片及び前記第２舌片がそれぞれ折り返された状態で、前記第１主部及び前記第２主部よりも容器幅方向外方において互いに接合された接合部により、前記折返し維持部が構成されている。
【００１５】
本発明の好ましい実施の形態においては、前記第１主部と前記第１副部とを接合する第１接合部と、前記第２主部と前記第２副部とを接合する第２接合部と、により前記折返し維持部が構成されている。
【００１６】
本発明の好ましい実施の形態においては、前記折返し維持部は、前記第１副部の端縁に沿う形状とされた第１高剛性体が前記第１副部に接合され、前記第２副部の端縁に沿う形状とされた第２高剛性体が前記第２副部に接合されることにより構成されている。
【００１７】
本発明の好ましい実施の形態においては、前記第１副部は、前記第１折り返し部を最長の辺とする正面視三角形状であり、前記第２副部は、前記第２折り返し部を最長の辺とする正面視三角形状である。
【発明の効果】
【００１８】
前記開口部を拡開する際には、前記表面シート及び前記裏面シートが、大きく変形する。前記第１副部及び前記第２副部の下端縁が全長に渡って前記第１主部及び前記第２主部に接合されていると、これらの接合部分が、前記開口部を拡開させるための変形を妨げることが懸念される。本発明によれば、前記第１副部及び前記第２副部の端縁に、前記第１主部及び前記第２主部に繋がっていない部分が設けられている。このため、前記表面シート及び前記裏面シートの剛性が不当に高められることを抑制し、より大きな変形を生じやすい。したがって、よりスムーズに開口部５２を拡開することができる。
【００１９】
本発明のその他の特徴及び利点は、添付図面を参照して以下に行う詳細な説明によって、より明らかとなろう。
【図面の簡単な説明】
【００２０】
【図１】本発明の第１実施形態に係るパウチ容器を示す正面図である。
【図２】本発明の第１実施形態に係るパウチ容器を示す背面図である。
【図３】図１のＩＩＩ−ＩＩＩ線に沿う断面図である。
【図４】図１のＩＶ−ＩＶ線に沿う断面図である。
【図５】本発明の第１実施形態に係るパウチ容器に指を挿入した状態を示す正面図である。
【図６】図５のＶＩ−ＶＩ線に沿う要部断面図である。
【図７】本発明の第１実施形態に係るパウチ容器に指を挿入し開口部を拡開した状態を示す上面図である。
【図８】本発明の第１実施形態に係るパウチ容器の製造方法の一例を示す要部正面である。
【図９】本発明の第１実施形態に係るパウチ容器の製造方法の一例の包材を示す正面図である。
【図１０】本発明の第１実施形態に係るパウチ容器の第１変形例を示す要部正面図である。
【図１１】本発明の第１実施形態に係るパウチ容器の第２変形例を示す要部正面図である。
【図１２】本発明の第１実施形態に係るパウチ容器の第３変形例を示す要部正面図である。
【図１３】本発明の第２実施形態に係るパウチ容器を示す要部正面図である。
【図１４】図１３のＸＩＶ−ＸＩＶ線に沿う要部断面図である。
【図１５】本発明の第２実施形態に係るパウチ容器の第１変形例を示す要部正面図である。
【図１６】本発明の第２実施形態に係るパウチ容器の第２変形例を示す要部正面図である。
【図１７】本発明の第２実施形態に係るパウチ容器の第３変形例を示す要部正面図である。
【図１８】本発明の第２実施形態に係るパウチ容器の第４変形例を示す要部正面図である。
【図１９】図１８のＸＩＸ−ＸＩＸ線に沿う断面図である。
【図２０】本発明の第２実施形態に係るパウチ容器の第４変形例に指を挿入した状態を示す要部断面図である。
【図２１】本発明の第２実施形態に係るパウチ容器の第５変形例を示す要部正面図である。
【図２２】図２１のＸＸＩＩ−ＸＸＩＩ線に沿う要部拡大断面図である。
【図２３】本発明の第２実施形態に係るパウチ容器の第５変形例に用いられる包材を示す要部正面図である。
【図２４】図２３のＸＸＩＶ−ＸＸＩＶ線に沿う要部拡大断面図である。
【図２５】本発明の第３実施形態に係るパウチ容器を示す要部正面図である。
【図２６】図２５のＸＸＶＩ−ＸＸＶＩ線に沿う要部断面図である。
【発明を実施するための形態】
【００２１】
以下、本発明の好ましい実施の形態につき、図面を参照して具体的に説明する。
【００２２】
以下、本発明の実施形態の一例について、図面を参照しながら詳細に説明する。図１〜図１２は、第１実施形態及びその変形例を、図１３〜図２０は、第２実施形態を、図２５及び図２６は、第３実施形態を、それぞれ示す。
【００２３】
以下では、パウチ容器に注入される充填物として液状の栄養剤（図示せず）を例示する。但し、充填物は、これに限定されず、例えば、栄養剤を希釈するための水等であってもよく、ゼリー状やペースト状の物であってもよい。本発明のパウチ容器は、内部に栄養液や輸液等の液状物が収容されて栄養剤補給用バッグや輸液バッグ等の医療用バッグとして好適に用いられるが、本発明の構成は医療用途に限定されず、各種食料品等の容器に適用されてもよい。
【００２４】
以下では、開口部よりも下方の部分が後述の表面シート１Ａ及び裏面シート１Ｂのみから構成される平パウチを例示するが、スタンディングパウチやサイドガゼットパウチなど、他のパウチ形態に本発明の構成を適用してもよい。なお、これらのガゼットを有するパウチ容器において、当該ガゼット部のシール部に後述の係止部７２を設ける場合は、表面シート１Ａ及び裏面シート１Ｂのいずれかに当該ガゼット部を含む。即ち、表面シート１Ａ及び裏面シート１Ｂの側端部同士を接合して形成される後述の側方シール部６２は、例えば、表面シート１Ａとガゼット部（裏面シート１Ｂの一部）の側端部同士を接合して形成される側方シール部６２をも含むものである。
【００２５】
以下では、便宜上「容器縦方向」を「容器上下方向」とし、後述の開口部５２が形成される「縦方向一端側」を「上」、後述の注出部５４が設けられる「容器縦方向他端側」を「下」として説明する。また、各シートが積層される方向を「容器表裏方向」とし、容器上下方向及び容器表裏方向に直交する方向（容器幅方向）を「容器横方向、又は容器幅方向」として説明する。以下では、単に、上下方向、表裏方向、横方向又は幅方向という場合がある。
【００２６】
＜第１実施形態＞
図１〜図９を参照しつつ、第１実施形態に係るパウチ容器Ａ１について説明する。図１は、パウチ容器Ａ１を示す正面図である。図２は、パウチ容器Ａ１を示す背面図である。図３は、図１のＩＩＩ−ＩＩＩ線に沿う断面図である。図４は、図１のＩＶ−ＩＶ線に沿う断面図である。図５は、パウチ容器Ａ１に指を挿入した状態を示す正面図である。図６は、図５のＶＩ−ＶＩ線に沿う要部断面図である。図７は、パウチ容器Ａ１に指を挿入し開口部を拡開した状態を示す上面図である。図８は、パウチ容器Ａ１の製造方法の一例を示す要部正面である。図９は、パウチ容器Ａ１の製造方法の一例の包材を示す正面図である。なお、図３、図４及び図６においては、パウチ容器Ａ１の構造の理解の便宜上、各シートの厚さを誇張することにより模式的に示している。また、図４は、後述の第１舌片１３Ａ及び第２舌片１３Ｂを内側に折返した状態を示している。
【００２７】
パウチ容器Ａ１は、表面シート１Ａ及び裏面シート１Ｂを備えており、第１内部空間４Ａ、第２内部空間４Ｂ、第１挿通口５Ａ、第２挿通口５Ｂ、充填部５１、開口部５２、底シール部６１及び一対の側方シール部６２が形成されている。図示されたパウチ容器Ａ１の正面視形状は、全体として略矩形状であるが、パウチ容器Ａ１の形状はこれに限定されない。例えば、パウチ容器Ａ１の正面視形状は、例えば、円形状、楕円形状、オーバル（卵）形状、三角形（好適には逆三角形）、多角形等の各種形状が採用され得る。
【００２８】
表面シート１Ａ及び裏面シート１Ｂは、表裏方向に互いに重ね合わされており、パウチ容器Ａ１の外面のほとんどを構成している。図１〜図３に示すように、底シール部６１は、表面シート１Ａと裏面シート１Ｂとの下端縁及び下端縁近傍部分を含む下端部同士が接合されることにより形成されている。図１、図２及び図４に示すように、一対の側方シール部６２は、表面シート１Ａと裏面シート１Ｂとの一対の側端縁及び一対の側端縁近傍部分を含む一対の側端部同士が接合されることにより形成されている。底シール部６１及び一対の側方シール部６２における接合手法は、たとえばヒートシールが好適に用いられる。なお、図示された例においては、表面シート１Ａ及び裏面シート１Ｂの片面（第１主部２Ａ及び第２主部２Ｂの外面と第１副部３Ａ及び第２副部３Ｂの内面）が後述のベースフィルム層からなり、他の片面（第１主部２Ａ及び第２主部２Ｂの内面と第１副部３Ａ及び第２副部３Ｂの外面）が後述のシーラント層からなる場合である。したがって、側方シール部６２は、第１主部２Ａ及び第２主部２Ｂの内面同士を、ヒートシールによって接合することにより形成される。また、本実施形態においては、図１における左側（図２における右側）の側方シール部６２の上端が、図１における右側（図２における左側）の側方シール部６２の上端よりも上方に位置している。
【００２９】
表面シート１Ａは、第１主部２Ａ、第１副部３Ａ及び第１折り返し部１５Ａを有している。第１主部２Ａと第１副部３Ａとは、第１折り返し部１５Ａを介して互いに繋がっている。言い換えると、表面シート１Ａは、１枚のシート材料からなり、第１折り返し部１５Ａにおいて折られることにより、第１主部２Ａと第１主部２Ａの外側に位置する第１副部３Ａとを有する構成となっている。なお、図３においては、第１折り返し部１５Ａが比較的鋭利な折返し形状のものとして示されているが、これは一例である。第１折り返し部１５Ａは、第１主部２Ａが内側に位置し、第１副部３Ａが外側に位置するように、折り返された形状であればよく、明瞭な折返し線等を有さないなだらかな湾曲形状であってもよい。
【００３０】
裏面シート１Ｂは、第２主部２Ｂ、第２副部３Ｂ及び第２折り返し部１５Ｂを有している。第２主部２Ｂと第２副部３Ｂとは、第２折り返し部１５Ｂを介して互いに繋がっている。言い換えると、裏面シート１Ｂは、１枚のシート材料からなり、第２折り返し部１５Ｂにおいて折られることにより、第２主部２Ｂと第２主部２Ｂの外側に位置する第２副部３Ｂとを有する構成となっている。なお、図３においては、第２折り返し部１５Ｂが比較的鋭利な折返し形状のものとして示されているが、これは一例である。第２折り返し部１５Ｂは、第２主部２Ｂが内側に位置し、第２副部３Ｂが外側に位置するように、折り返された形状であればよく、明瞭な折返し線等を有さないなだらかな湾曲形状であってもよい。
【００３１】
本実施形態においては、第１副部３Ａは、図１に示すように、正面視において第１折り返し部１５Ａを最長の辺とする三角形状である。また、第２副部３Ｂは、背面視において（正面視においても同様）第２折り返し部１５Ｂを最長の辺とする三角形状である。また、図示された例においては、第１副部３Ａ及び第２副部３Ｂは、正面視略直角三角形状である。
【００３２】
なお、第１副部３Ａ及び第２副部３Ｂの形状は特に限定されず、図示された三角形状の他に、矩形状や多角形状半、円形状、半楕円形状等、様々な形状に設定可能である。
【００３３】
本実施形態においては、第１主部２Ａと第２主部２Ｂとが、底シール部６１及び一対の側方シール部６２において互いに接合されている。一方、第１副部３Ａと第２副部３Ｂとは、互いに接合されていない。
【００３４】
充填部５１は、底シール部６１及び一対の側方シール部６２の内端によって正面視形状が規定された、表面シート１Ａの第１主部２Ａと裏面シート１Ｂの第２主部２Ｂとによって囲まれた空間である。充填部５１は、栄養剤等の内容物を充填するための部位である。開口部５２は、第１主部２Ａ及び第２主部２Ｂの非接合部分によって形成されている。開口部５２は、上方に向けて開口しており、充填部５１の上端縁に繋がっている。
【００３５】
パウチ容器Ａ１には、チャック５３が設けられている。チャック５３は、開口部５２を開閉するためのものである。チャック５３が閉じられると、底シール部６１、一対の側方シール部６２及びチャック５３によって充填部５１が密閉される。チャック５３の具体的構成は特に限定されず、図示された例においては、図３に示すように、凸条部付きのシートと、凸条部に嵌合する凹条部付きのシートとが、対向配置された構成である。同図においては、凸条部付きのシートが裏面シート１Ｂの内面に接合されており、凹条部付きのシートが表面シート１Ａの内面に接合されている。
【００３６】
図１及び図２に示すように、パウチ容器Ａ１には、注出部５４が設けられている。注出部５４は、充填部５１に充填された栄養剤を注出するためのものである。注出部５４は、例えば、栓付きのプラスチック管であって、表面シート１Ａ及び裏面シート１Ｂの斜めにカットされた下端縁と側端縁との角部に取り付けられている。注出部５４は、後述の吊り下げ孔７１と対角線方向で対向する角部に設けられている。具体的には、表面シート１Ａと裏面シート１Ｂの間に注出部５４を挟んだ状態で各部材を接合することにより注出シール部６３が形成されており、これにより注出部５４が取り付けられている。
【００３７】
注出部５４には、例えば、長尺状のチューブ（図示略）が取付けられる。このチューブは、充填部５１に連通接続される注出部５４の内側開口部と反対の外側開口部に対して接続される。当該チューブは、従来公知のものが使用可能であって詳しい説明を省略するが、可撓性のチューブであり、必要に応じてチャンバー（点滴筒）やクレンメ（流量調整器）、コネクター等（何れも図示せず）が設けられて、鼻腔等から挿入されて胃や十二指腸等の患者体内（図示せず）に至っている。そして、充填部５１に収容される栄養剤等の内容物が当該チューブを通じて患者の体内に投与される。
【００３８】
図１及び図２に示すように、パウチ容器１０には、吊り下げ孔７１が設けられている。図示された例においては、吊り下げ孔７１は、注出部５４の長手方向の延長線上に配置されている。吊り下げ孔７１は、側方シール部６２の一部を幅広に形成し、当該幅広シール部を表裏方向に打ち抜くことで形成される。パウチ容器Ａ１に充填された栄養剤を患者に投与する際には、吊り下げ孔７１をフック等（図示略）に引っ掛ける。これにより、注出部５４の長手方向が鉛直方向に沿った状態となり、栄養剤を容易に注出することができる。なお、吊下フック等が挿通される吊り下げ孔７１の形状は図示された形状に限定されない。例えば、三角形等にすることにより、パウチ容器Ａ１をスタンド等に懸架した際の、パウチ容器の向きを調節することができる。
【００３９】
また、パウチ容器Ａ１には、一対の係止部７２が設けられている。一対の係止部７２は、側方シール部６２の一部に切り込みが形成されることにより設けられており、吊り下げ孔７１の下方に位置している。なお、係止部７２の個数は、１つでもよいし３つ以上でもよい。係止部７２は、注出部５４に取付けられたチューブを係止することにより、チューブを使用しやすい状態に維持するためのものである。一対の係止部７２は、操作性向上等の観点から、互いに近接して形成されることが好ましく、例えば互いの間隔をチューブの直径の２倍〜５倍程度の長さに設定することが好ましい。また、係止部７２の横方向長さは、チューブの保持性や充填部５１の容量確保等の観点から、好ましくはチューブの直径の１．５倍〜５倍程度、より好ましくはチューブの直径の１．８倍〜３倍程度である。これにより、係止部７２に対して、チューブを湾曲させて挿入するといった煩雑な操作が不要となり、チューブの中間部分を容易に挿入することが可能となる。
【００４０】
図１、図３、図４及び図６に示すように、第１内部空間４Ａは、第１主部２Ａと第１副部３Ａとの間に形成された空間であり、開口部５２を拡開して栄養剤を充填部５１に注入する際に指を挿入する空間として使用される。なお、第１内部空間４Ａは、第１主部２Ａと第１副部３Ａとの間の隙間に相当する空間であり、密閉されている必要はなく、外部に繋がっていてもよい。
【００４１】
図１、図４、図６〜図８に示すように、第１挿通口５Ａは、第１内部空間４Ａに一部が位置する指を挿通可能に形成されたものである。本実施形態においては、第１挿通口５Ａは、容器幅方向から指を挿通可能に形成されている。また、本実施形態においては、図６に示すように、外部から第１挿通口５Ａを通じて第１内部空間４Ａ内に指先が進入するように、第１挿通口５Ａに指が挿通されることが意図されている。ただし、これは指を挿通させる態様の一例であり、側方から第１内部空間４Ａに挿入された指が、第１挿通口５Ａから外部に突出するように、第１挿通口５Ａに指を挿通させてもよい。第１挿通口５Ａを設ける手法は特に限定されず、好ましい手法として切り込み又は切り欠きを形成することが挙げられる。「切り込み」とは、シートを切除しないカット部を意味し、「切り欠き」とは、シートを切除するカット部を意味する。図示された例においては、第１挿通口５Ａは、第１副部３Ａに第１切り込み１２Ａが形成されることによって設けられている。また、図示された例においては、第１切り込み１２Ａは、容器幅方向外方に向かって凸状に膨らむ曲線で形成されている。第１切り込み１２Ａがこのような形状であることにより、第１副部３Ａには、第１舌片１３Ａが形成されている。第１舌片１３Ａは、第１副部３Ａのうち第１切り込み１２Ａと第１切り込み１２Ａの両端を結ぶ仮想線（図１参照、以下第１舌片１３Ａの「付け根線」という）とによって囲まれた部分である。
【００４２】
また、本実施形態においては、第１挿通口５Ａ（第１切り込み１２Ａ）及び第１舌片１３Ａは、第１副部３Ａのうち正面視においてチャック５３よりも下方に位置する部分に形成されている。また、第１舌片１３Ａは、内側に折り返されている。
【００４３】
図２、図３、図４及び図６に示すように、第２内部空間４Ｂは、第２主部２Ｂと第２副部３Ｂとの間に形成された空間であり、開口部５２を拡開して栄養剤を充填部５１に注入する際に指を挿入する空間として使用される。なお、第２内部空間４Ｂは、第２主部２Ｂと第２副部３Ｂとの間の隙間に相当する空間であり、密閉されている必要はなく、外部に繋がっていてもよい。
【００４４】
図２、図４、図６〜図８に示すように、第２挿通口５Ｂは、第２内部空間４Ｂに指を挿入可能に形成されたものである。本実施形態においては、第２挿通口５Ｂは、容器幅方向から指を挿通可能に形成されている。また、本実施形態においては、図６に示すように、外部から第２挿通口５Ｂを通じて第２内部空間４Ｂ内に指先が進入するように、第２挿通口５Ｂに指が挿通されることが意図されている。ただし、これは指を挿通させる態様の一例であり、側方から第２内部空間４Ｂに挿入された指が、第２挿通口５Ｂから外部に突出するように、第２挿通口５Ｂに指を挿通させてもよい。第２挿通口５Ｂを設ける手法は特に限定されず、好ましい手法として切り込み又は切り欠きを形成することが挙げられる。図示された例においては、第２挿通口５Ｂは、第２副部３Ｂに第２切り込み１２Ｂが形成されることによって設けられている。また、図示された例においては、第２切り込み１２Ｂは、容器幅方向外方に向かって凸状に膨らむ曲線で形成されている。第２切り込み１２Ｂがこのような形状であることにより、第２副部３Ｂには、第２舌片１３Ｂが形成されている。第２舌片１３Ｂは、第２副部３Ｂのうち第２切り込み１２Ｂと第２切り込み１２Ｂの両端を結ぶ仮想線（図２参照、以下第２舌片１３Ｂの「付け根線」という）とによって囲まれた部分である。
【００４５】
また、本実施形態においては、第２挿通口５Ｂ（第２切り込み１２Ｂ）及び第２舌片１３Ｂは、第２副部３Ｂのうち正面視においてチャック５３よりも下方に位置する部分に形成されている。また、本実施形態においては、第２舌片１３Ｂは、内側に折り返されている。
【００４６】
また、本実施形態においては、第１挿通口５Ａ及び第２挿通口５Ｂが、幅方向一方側（図１における右側、図２における左側）に偏って設けられている。一対の側方シール部６２のうち幅方向他方側にあたる、吊り下げ孔７１及び一対の係止部７２が設けられた側方シール部６２の上端が、幅方向一方側の側方シール部６２の上端よりも上方に位置している。一対の側方シール部６２の上端は、第１折り返し部１５Ａ及び第２折り返し部１５Ｂの両端に位置している。一対の側方シール部６２の上端が、上述した通り互いの上下方向位置が異なるため、第１折り返し部１５Ａ及び第２折り返し部１５Ｂは、幅方向に対して傾いている。
【００４７】
なお、図示された例においては、第１切り込み１２Ａと第２切り込み１２Ｂとは、互いの形状、大きさ及び幅方向に対する角度等が同じであるが、このような構成に限定されず、互いの形状、大きさ及び幅方向に対する角度等の少なくともいずれかが異なっていてもよい。
【００４８】
パウチ容器Ａ１を構成する各シートは、通常、樹脂フィルムから構成される。シートを構成する樹脂フィルムには、耐衝撃性、耐磨耗性、及び耐熱性など、包装体としての基本的な性能を備えることが要求される。また、上記各シール部及び上記接合部は、通常、ヒートシールにより形成されるので、シートにはヒートシール性も要求される。シートとしては、ベースフィルム層と、ヒートシール性を付与するシーラント層とを有する複層シートが好適であり、高いガスバリア性や遮光性が要求される場合には、ベースフィルム層とシーラント層との間にバリア層を設けることが好適である。なお、ベースフィルム層そのものにバリア性を付与してもよい。この場合は、バリア層をベースフィルム層として用い、バリア層とシーラント層とを有する複層シートとなる。また、シートの両面にヒートシール性を付与する場合は、後述のシーラント層を形成する単層フィルムを用いてもよいし、複層シートの場合は、同種又は異種のシーラント層を二層有するか（このとき、シーラント層の一層を形式的にベースフィルム層として用いることになる）、或いはベースフィルム層の両面にシーラント層を有するシートを用いてもよい。本実施形態では、表面シート１Ａ及び裏面シート１Ｂとして、片面（第１主部２Ａ及び第２主部２Ｂの外面と第１副部３Ａ及び第２副部３Ｂの内面）がベースフィルム層からなり、他の片面（第１主部２Ａ及び第２主部２Ｂの内面と第１副部３Ａ及び第２副部３Ｂの外面）がシーラント層からなる複層シートが使用されている。
【００４９】
ここで、ベースフィルム層、シーラント層、及びガスバリア層の構成材料を例示する。なお、これら各層の積層は、慣用のラミネート法、例えば、接着剤によるドライラミネーション、熱接着性層を挟んで熱により接着させる熱ラミネーションなどにより行うことができる。
【００５０】
ベースフィルム層を構成するフィルムとしては、ポリエステル（ポリエチレンテレフタレート（ＰＥＴ）、ポリエチレンナフタレ−ト（ＰＥＮ）、ポリブチレンテレフタレート（ＰＢＴ）、ポリカーボネート（ＰＣ）など）、ポリオレフィン（ポリエチレン（ＰＥ）、ポリプロピレン（ＰＰ）など）、ポリアミド（ナイロン−６、ナイロン−６６など）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリメチルメタクリレート（ＰＭＭＡ）、及びポリエーテルスルフォン（ＰＥＳ）等から構成される一層又は二層以上の延伸又未延伸フィルムが例示できる。
【００５１】
シーラント層を構成するフィルムとしては、低密度ポリエチレン（ＬＤＰＥ）、直鎖状低密度ポリエチレン（ＬＬＤＰＥ）、エチレン−プロピレン共重合体（ＥＰ）、未延伸ポリプロピレン（ＣＰＰ）、二軸延伸ナイロン（ＯＮ）、エチレン−オレフィン共重合体、エチレン−アクリル酸共重合体（ＥＡＡ）、エチレン−メタクリル酸共重合体（ＥＭＡＡ）及びエチレン−酢酸ビニル共重合体（ＥＶＡ）等から構成される一層又は二層以上の延伸又未延伸フィルムが例示できる。
【００５２】
ガスバリア層としては、アルミニウム等の金属薄膜、又は塩化ビニリデン（ＰＶＤＣ）、エチレン−ビニルアルコール共重合体（ＥＶＯＨ）などの樹脂フィルム、或いは任意の合成樹脂フィルム（例えば、ベースフィルム層であってもよい）に、アルミニウム、酸化アルミニウムやシリカ等の無機酸化物などを蒸着（又はスパッタリング）したフィルムが例示できる。
【００５３】
表面シート１Ａの第１主部２Ａ又は裏面シート１Ｂの第２主部２Ｂには、例えば、栄養剤の液量を計測するための目盛り（図示せず）を設けることが好適である。なお、目盛りの他にも、商品名や原材料、使用上の注意事項などを表示する印刷層を設けてもよい。
【００５４】
次に、図８及び図９を参照しつつ、パウチ容器Ａ１の製造方法の一例について説明する。図８は、パウチ容器Ａ１の製造方法の一例の一工程を示しており、各シートの長尺体を積層し、各シール部を形成する工程を模式的に示す要部正面図である。図９は、図８の工程によって得られた包材Ｂ１を示している。
【００５５】
図８に示すように、まず、表面シート１Ａとなる長尺体１Ａｚ、裏面シート１Ｂとなる長尺体１Ｂｚ、チャック５３となる長尺体５３ｚをそれぞれ準備する。そして、長尺体１Ａｚと長尺体１Ｂｚとによって長尺体５３ｚを挟むようにして、長尺体１Ａｚと長尺体１Ｂｚとを重ね合わせる。
【００５６】
次いで、重ね合わせた長尺体１Ａｚ，１Ｂｚに、ヒートシール工程でシール部６ｚを形成する。ヒートシール工程では、例えば、充填部５１となるべき領域や注出部５４を取り付けるための部分を残して、長尺体１Ａｚと長尺体１Ｂｚとをヒートシールする。これにより、図示されたシール部６ｚが形成される。
【００５７】
続いて、ダイカットロール等を用いて、例えば、切断線ＣＬに沿って上記長尺体をカットし、個々の容器サイズに分割する。なお、上記ヒートシール及び当該カットは同時に行なわれてもよい。このとき又は別工程で、第１切り込み１２Ａ、第２切り込み１２Ｂ、吊り下げ孔７１及び係止部７２が形成される。次いで、注出部５４を挿入し注出シール部６３を形成することにより、図９に示す包材Ｂ１が得られる。
【００５８】
包材Ｂ１は、表面シート１Ａ及び裏面シート１Ｂを備えており、充填部５１が形成されている。ついで、表面シート１Ａ及び裏面シート１Ｂの上部を、図示された想像線に沿って外側に折り返す。これにより、図１〜図７に示したパウチ容器Ａ１が得られる。
【００５９】
次に、図５〜図７に示すパウチ容器Ａ１の使用状態の一例を参照しつつ、パウチ容器Ａ１の作用について説明する。
【００６０】
パウチ容器Ａ１の開口部５２から充填部５１に栄養剤を注入する際には、例えば、片手（以下、右手とする）でパウチ容器Ａ１を保持しながらチャック５３を開けて開口部５２を広げる。まず初めに、図５及び図６に示すように、第１内部空間４Ａに親指を挿入し、第２内部空間４Ｂには人差し指を挿入してパウチ容器Ａ１を保持する。このとき、親指と人差し指は、容器幅方向から第１挿通口５Ａ及び第２挿通口５Ｂを通って第１内部空間４Ａ及び第２内部空間４Ｂに挿入される。この際、第１舌片１３Ａ及び第２舌片１３Ｂは、内側に折り返されている。なお、第１挿通口５Ａ及び第２挿通口５Ｂと第１内部空間４Ａ及び第２内部空間４Ｂとの形状や大きさを適宜設定することにより、第１挿通口５Ａ及び第２挿通口５Ｂの少なくともいずれかから複数の指を挿入してもよい。たとえば、第１挿通口５Ａから右手親指を挿入し、第２挿通口５Ｂから右手人差し指及び中指を挿入してもよい。
【００６１】
続いて、図７に示すように、第１内部空間４Ａ及び第２内部空間４Ｂ内に挿入された親指と人差し指との間隔を開けることによりチャック５３を外して開口部５２を広げる。即ち、親指を表側に動かし、人差し指を裏側に動かす。親指と人差し指の間隔をさらに広げることで、開口部５２をより大きく広げることができる。
【００６２】
続いて、親指と人差し指の間隔を開けて開口部５２を大きく広げた状態で、栄養剤の注入を開始する。親指と人差し指との間隔を開けておくだけで開口状態が維持されるので、例えば、栄養剤を注入する器具をチャック５３付近まで近づけて注入でき、且つ注入作業中に開口部５２が閉じて栄養剤が零れることを防止できる。
【００６３】
また、図７に示すように、親指と人差し指によって開口部５２を拡開する際には、表面シート１Ａ及び裏面シート１Ｂが、大きく変形する。第１副部３Ａ及び第２副部３Ｂの端縁（本実施形態においては、正面視三角形の最長の辺を除く二辺）が全長に渡って第１主部２Ａ及び第２主部２Ｂに接合されていると、これらの接合部分が、開口部５２を拡開させるための変形を妨げることが懸念される。本実施形態においては、第１副部３Ａ及び第２副部３Ｂの端縁が、第１主部２Ａ及び第２主部２Ｂに繋がっていない。このため、表面シート１Ａ及び裏面シート１Ｂの剛性が不当に高められることを抑制し、より大きな変形を生じやすい。したがって、よりスムーズに開口部５２を拡開することができる。
【００６４】
また、第１副部３Ａ及び第２副部３Ｂの端縁が、全長に渡って第１主部２Ａ及び第２主部２Ｂに繋がっていると、開口部５２を拡開する際に第１主部２Ａ及び第２主部２Ｂが大きく変形することに伴って、第１副部３Ａ及び第２副部３Ｂが第１主部２Ａ及び第２主部２Ｂに繋がる部分に過大な力が作用しうる。この力によって、当該部分が損傷するおそれがある。本実施形態においては、第１副部３Ａ及び第２副部３Ｂの端縁が第１主部２Ａ及び第２主部２Ｂに繋がっていない部分を有する。この繋がっていない部分が、過大な力が生じることを緩和する機能を果たすことにより、接合部分の損傷を回避することができる。
【００６５】
また、図８の工程によって形成された包材Ｂ１について、図９に示すように、表面シート１Ａ及び裏面シート１Ｂを折り返すことにより、第１内部空間４Ａを形成する第１主部２Ａ及び第１副部３Ａと第２内部空間４Ｂを形成する第２主部２Ｂ及び第２副部３Ｂを設けることができる。このため、たとえば、図８に示す工程において、長尺体１Ａｚ，１Ｂｚ以外の長尺体をさらに重ね合わせ、これらを適宜接合するといった工程が不要である。したがって、パウチ容器Ａ１をより容易に製造することができる。
【００６６】
本実施形態においては、図３に示すように、第１内部空間４Ａは、第１主部２Ａの外側に位置し、第２内部空間４Ｂは、第２主部２Ｂの外側に位置する。このため、第１内部空間４Ａ及び第２内部空間４Ｂに挿入された指に、栄養剤の飛沫等が付着することを抑制することができる。
【００６７】
また、第１挿通口５Ａ及び第２挿通口５Ｂは、幅方向から指を挿通させるのに適した形状である。このため、図６及び図７に示すように、親指や人差し指を、幅方向に沿った状態とすることが可能である。これは、開口部５２を拡開させる動作を行うのに便利である。
【００６８】
栄養剤等の液状物を充填部５１へ注入した後に、チャック５３を閉状態とすることにより、充填部５１を密封状態とすることができる。これにより、パウチ容器Ａ１の上部からの液状物の漏出が防ぎ得ると共に、液状物が細菌等に汚染されるおそれを低減させることができる。
【００６９】
なお、本実施形態においては、第１挿通口５Ａ及び第２挿通口５Ｂに右手の指を挿通させる場合を例に説明したが、左手の指を挿通させてもよい。また、第１副部３Ａ及び第２副部３Ｂ等の形状によっては、幅方向一方に右手用の第１挿通口５Ａ及び第２挿通口５Ｂを設け、幅方向他方に左手用の第１挿通口５Ａ及び第２挿通口５Ｂをさらに設けてもよい。この点は、以降の実施形態においても同様である。
【００７０】
以上のように、パウチ容器Ａ１によれば、第１副部３Ａ及び第２副部３Ｂの端縁が表面シート１Ａ及び裏面シート１Ｂに繋がっていない部分を有する。このため、第１主部２Ａ及び第２主部２Ｂと第１副部３Ａ及び第２副部３Ｂとの剛性が不当に高められることを抑制し、より大きな変形を生じやすい。したがって、よりスムーズに開口部５２を拡開することができる。
【００７１】
図１０〜図２６は、本発明の変形例及び他の実施形態を示している。なお、これらの図において、上記実施形態と同一又は類似の要素には、上記実施形態と同一の符号を付している。なお、図１０〜図１３、図１５〜図１８及び図２５は、各変形例及び各実施形態のパウチ容器を正面からみた図であり、主に表面シート１Ａ及びその関連箇所を具体的に説明するが、同様の構成は、背面から見た場合の裏面シート１Ｂ及びその関連箇所に適宜採用可能である。
【００７２】
＜第１実施形態  第１変形例＞
図１０は、パウチ容器Ａ１の第１変形例を示している。本変形例のパウチ容器Ａ１ａにおいては、第１切り込み１２Ａが、上下方向に沿った直線形状とされている。このため、第１副部３Ａには、パウチ容器Ａ１やパウチ容器Ａ２における第１舌片１３Ａが設けられていない。このような変形例においても、第１挿通口５Ａに幅方向から指を挿通させることができる。
【００７３】
＜第１実施形態  第２変形例＞
図１１は、パウチ容器Ａ１の第２変形例を示している。本変形例のパウチ容器Ａ１ｂは、第１挿通口５Ａが第１切り欠き１１Ａによって構成されている。第１切り欠き１１Ａは、第１副部３Ａが部分的に切除されたカット部であり、正面視において開口している。また、本変形例の第１切り欠き１１Ａは、上下方向を長手方向とする細長楕円形状である。このような変形例においても、第１挿通口５Ａに幅方向から指を挿通させることができる。
【００７４】
＜第１実施形態  第３変形例＞
図１２は、パウチ容器Ａ１の第３変形例を示している。本変形例のパウチ容器Ａ１ｃは、第１副部３Ａの形状が上述した例と異なっており、略矩形状である。また、一対の側方シール部６２の上端は、互いの上下方向位置が略同じである。第１折り返し部１５Ａは、幅方向に対して略平行である。第２副部３Ｂ及び第２折り返し部１５Ｂについても同様である。また、本変形例においては、吊り下げ孔７１が、第１副部３Ａと重ならないように、上述した例における位置よりも下方に設けられている。係止部７２は、設けられていなくてもよいし、図外の適所に設けられていてもよい。本変形例から理解されるように、第１副部３Ａ及び第２副部３Ｂの形状は、パウチ容器Ａ１の使用態様等に応じて適宜設定すればよい。
【００７５】
以上に述べた第１〜第３変形例の各部の構成は、互いに組み合わせて適宜採用することが可能であり、また、他の実施形態にも適宜組み合わせることができる。
【００７６】
＜第２実施形態＞
図１３及び図１４は、本発明の第２実施形態に係るパウチ容器を示している。本実施形態のパウチ容器Ａ２は、折返し維持部８を備えている点が、上述した実施形態と異なっている。
【００７７】
折返し維持部８は、第１副部３Ａ及び第２副部３Ｂが折り返された状態を維持するための部位である。本実施形態においては、折返し維持部８は、第１接合部８１Ａ及び第２接合部８１Ｂによって構成されている。第１接合部８１Ａは、第１主部２Ａと第１副部３Ａとの一部ずつを接合することにより形成されている。第２接合部８１Ｂは、第２主部２Ｂと第２副部３Ｂとの一部ずつが接合されることにより形成されている。また、図示された例においては、第１接合部８１Ａ及び第２接合部８１Ｂは、チャック５３よりも上方に設けられている。また第１接合部８１Ａ及び第２接合部８１Ｂは、幅方向において第１挿通口５Ａ及び第２挿通口５Ｂよりも内方に位置しており、略中央に設けられている。図示された例においては、第１接合部８１Ａ及び第２接合部８１Ｂは、正面視矩形状であるが、その形状や大きさは特に限定されない。また、複数の第１接合部８１Ａ及び第２接合部８１Ｂが設けられた構成であってもよい。
【００７８】
第１接合部８１Ａ及び第２接合部８１Ｂを形成するための接合手法は特に限定されない。図示された例においては、第１主部２Ａ及び第２主部２Ｂの外面と、第１副部３Ａ及び第２副部３Ｂの内面とが、ベースフィルム層からなる場合に、接着剤が用いられた構成が採用されている。なお、第１主部２Ａ及び第２主部２Ｂの外面と、第１副部３Ａ及び第２副部３Ｂの内面とが、シーラント層からなる場合は、ヒートシールを用いてもよい。
【００７９】
本実施形態によっても、よりスムーズに開口部５２を拡開することができる。また、折返し維持部８としての第１接合部８１Ａ及び第２接合部８１Ｂが設けられていることにより、第１副部３Ａ及び第２副部３Ｂが、第１主部２Ａ及び第２主部２Ｂから不当に離れてしまうことを回避することが可能であり、開口部５２を拡開するのに好ましい。
【００８０】
＜第２実施形態  第１変形例＞
図１５は、パウチ容器Ａ２の第１変形例を示している。本変形例のパウチ容器Ａ２ａは、第１接合部８１Ａの位置が、パウチ容器Ａ２と異なっている。本変形例においては、第１接合部８１Ａは、チャック５３よりも下方にあり、さらに第１挿通口５Ａよりも下方に設けられている。本変形例から理解されるように、第１接合部８１Ａ及び第２接合部８１Ｂが設けられる位置は、特に限定されない。また、たとえば、パウチ容器Ａ２の第１接合部８１Ａとパウチ容器Ａ２ａの第１接合部８１Ａとの双方が設けられた構成であってもよい。
【００８１】
＜第２実施形態  第２変形例＞
図１６は、パウチ容器Ａ２の第２変形例を示している。本変形例のパウチ容器Ａ２ｂは、第１接合部８１Ａの構成が、上述した例と異なっている。本変形例においては、第１接合部８１Ａは、第１副部３Ａの一部である第１舌片１３Ａと第１主部２Ａとが接合されることによって形成されている。具体的には、外側に折り返された第１舌片１３Ａのうち第１副部３Ａの端縁から突出する部分が、第１主部２Ａに接合されている。本変形例においても、第１接合部８１Ａには、たとえば接着剤を用いればよい。本変形例によれば、第１挿通口５Ａから幅方向左方に指を挿入する経路が、第１舌片１３Ａによって塞がれている。このため、幅方向右方から第１主部２Ａ及び第１副部３Ａの隙間（第１内部空間４Ａ）に指を挿入した後に、第１挿通口５Ａから外部に指先を出す使用態様を使用者に促すことができるという利点がある。
【００８２】
＜第２実施形態  第３変形例＞
図１７は、パウチ容器Ａ２の第３変形例を示している。本変形例のパウチ容器Ａ２ｃは、第１接合部８１Ａの形状、大きさ及び位置が、上述した例と異なっている。本変形例においては、第１接合部８１Ａは、第１折り返し部１５Ａに沿った細長い帯状とされており、第１折り返し部１５Ａの直下に設けられている。このような変形例においては、たとえば第１接合部８１Ａが接着剤を用いて形成されている場合、表面シート１Ａの第１折り返し部１５Ａ付近の部分が第１接合部８１Ａによって補強される。したがって、表面シート１Ａが過度に柔軟であるために拡開が困難となることを防止することができる。
【００８３】
＜第２実施形態  第４変形例＞
図１８〜図２０は、パウチ容器Ａ２の第４変形例を示している。本変形例のパウチ容器Ａ２ｄは、折返し維持部８が接合部８１によって構成されている。第１切り込み１２Ａ及び第２切り込み１２Ｂは、幅方向内方に凸状である曲線である。これにより、第１舌片１３Ａ及び第２舌片１３Ｂは、幅方向外側に向かうように折り返される。図示された例においては、第１舌片１３Ａ及び第２舌片１３Ｂが内側に折り返されており、それぞれの一部が、第１主部２Ａ及び第２主部２Ｂから幅方向外方に突出している。接合部８１は、第１舌片１３Ａ及び第２舌片１３Ｂの当該突出部分の一部同士が接合されたものである。接合部８１を形成するための接合手法は特に限定されず、ヒートシールや接着剤等が適宜用いられる。たとえば、表面シート１Ａの片面（第１主部２Ａの内面及び第１副部３Ａの外面）と裏面シート１Ｂの片面（第２主部２Ｂの内面及び第２副部３Ｂの外面）とが、後述のシーラント層からなる場合、第１舌片１３Ａ及び第２舌片１３Ｂの互いに対向する面が、シーラント層からなる構成となる。この場合、接合部８１は、ヒートシールによって形成することができる。
【００８４】
折返し維持部８としての接合部８１が設けられていることにより、第１副部３Ａ及び第２副部３Ｂが、第１主部２Ａ及び第２主部２Ｂから不当に離れてしまうことを回避することが可能であり、開口部５２を拡開するのに好ましい。また、表面シート１Ａ及び裏面シート１Ｂの層構造として、底シール部６１及び側方シール部６２をヒートシールによって形成可能となるようにシーラント層を配置している。このような層構造により、第１主部２Ａ及び第２主部２Ｂの幅方向外方において第１舌片１３Ａと第２舌片１３Ｂとが互いに対向する面がシーラント層となる。これにより、第１舌片１３Ａと第２舌片１３Ｂとを接合する接合部８１を、ヒートシールによって形成することができるという利点がある。
【００８５】
また、接合部８１によって第１舌片１３Ａ及び第２舌片１３Ｂが接合されていることにより、第１主部２Ａ及び第１副部３Ａの隙間や第２主部２Ｂ及び第２副部３Ｂの隙間に、幅方向外方から指を挿入される経路が第１舌片１３Ａ及び第２舌片１３Ｂによって塞がれている。このため、第１挿通口５Ａ及び第２挿通口５Ｂに外側から指を挿入し、それにより指の一部を第１内部空間４Ａ及び第２内部空間４Ｂ内に位置させる使用態様を使用者に促すことができるという利点がある。
【００８６】
＜第２実施形態  第５変形例＞
図２１及び図２２は、パウチ容器Ａ２の第５変形例を示している。本変形例のパウチ容器Ａ２ｅは、主に第１副部３Ａ、第２副部３Ｂ及び折返し維持部８を構成する接合部８１の構成が、上述した例と異なっている。
【００８７】
本変形例においては、第１副部３Ａが折り返し部１６Ａ及び内片３１Ａを有しており、第２副部３Ｂが折り返し部１６Ｂ及び内片３１Ｂを有している。折り返し部１６Ａは、第１副部３Ａのうち第１主部２Ａから幅方向外方に延出した部分が折られた部位である。内片３１Ａは、第１副部３Ａのうち折り返し部１６Ａにおいて内側に折り返された部分である。内片３１Ａは、第１主部２Ａよりも幅方向外方に位置している。折り返し部１６Ｂは、第２副部３Ｂのうち第２主部２Ｂから幅方向外方に延出した部分が折られた部位である。内片３１Ｂは、第２副部３Ｂのうち折り返し部１６Ｂにおいて内側に折り返された部分である。内片３１Ｂは、第２主部２Ｂよりも幅方向外方に位置している。内片３１Ａ，３１Ｂは、正面視において互いに重なっている。本変形例の接合部８１は、上述の内片３１Ａ，３１Ｂが互いに接合されたものであり、たとえばヒートシールによって形成されている。なお、第１副部３Ａ及び第２副部３Ｂの幅方向左方端部同士は、互いに繋がっていない。
【００８８】
なお、本変形例においては、第１挿通口５Ａ及び第２挿通口５Ｂが、充填部５１よりも上方に位置している。また、第１副部３Ａ及び第２副部３Ｂは、正面視におい略矩形状とされている。ただし、本変形例の各部の構成が、これらの構成に限定されるものではない。また、第１挿通口５Ａ及び第２挿通口５Ｂは、幅方向のいずれに形成されていてもよい。
【００８９】
図２３及び図２４は、パウチ容器Ａ２ｅに用いられる包材を示している。包材Ｂ２ｅは、表面シート１Ａ及び裏面シート１Ｂの上端寄りの領域に、第１挿通口５Ａ、第２挿通口５Ｂ及び接合部８１が設けられている。表面シート１Ａ及び裏面シート１Ｂの内面がシーラント層からなる場合、接合部８１の形成は、たとえば側方シール部６２を形成するためのヒートシール工程において一括して行ってもよい。なお、表面シート１Ａ及び裏面シート１Ｂの上端寄り領域の幅方向左方端部同士は、互いに繋がっていない。
【００９０】
包材Ｂ２ｅを用いてパウチ容器Ａ２ｅを形成するには、表面シート１Ａを図示された折り返し予定線１５０Ａに沿って外側に折り返し、裏面シート１Ｂを正面視において折り返し予定線１５０Ａと略一致する折り返し予定線（図示略）に沿って外側に折り返す。この際、表面シート１Ａ及び裏面シート１Ｂのうち接合部８１によって互いに接合された（繋がった）部分は、幅方向外側を向く幅方向右方端と幅方向内側を向くように折り返される。この折り返し工程を経ることにより、図２２及び図２３に示したパウチ容器Ａ２ｅが得られる。
【００９１】
このような変形例によっても、パウチ容器Ａ２ｅの開口部５２をよりスムーズに拡開することができる。また、表面シート１Ａ及び裏面シート１Ｂの上端寄り領域の幅方向左方端部同士を敢えて繋がない構成とすることにより、上述した包材Ｂ２ｅを折り返す工程を行いやすい。
【００９２】
＜第３実施形態＞
図２５及び図２６は、本発明の第３実施形態に係るパウチ容器を示している。図２５は、本実施形態のパウチ容器Ａ３を示す要部正面図である。図２６は、図２５のＸＸＶＩ−ＸＸＶＩ線に沿う断面図である。
【００９３】
パウチ容器Ａ３においては、折返し維持部８の構成が上述した実施形態と異なっている。本実施形態においては、折返し維持部８は、第１高剛性体８２Ａ及び第２高剛性体８２Ｂが設けられることにより構成されている。第１高剛性体８２Ａ及び第２高剛性体８２Ｂは、表面シート１Ａ及び裏面シート１Ｂの材質よりも剛性が高い材質からなり、たとえば樹脂や金属等からなる。図２５に示すように、第１高剛性体８２Ａは、第１副部３Ａの端縁（正面視三角形状の最長の辺を除いた二辺）に沿ったＬ字状の部材である。第１高剛性体８２Ａは、たとえば接着や熱溶着によって、第１副部３Ａに接合されている。第２高剛性体８２Ｂについても同様の構成である。
【００９４】
第１高剛性体８２Ａ及び第２高剛性体８２Ｂが設けられることにより、第１副部３Ａ及び第２副部３Ｂは、第１折り返し部１５Ａ及び第２折り返し部１５Ｂから垂れ下がった状態となる。したがって、本変形例においても、表面シート１Ａ及び裏面シート１Ｂが折り返された状態が維持され、開口部５２の拡開をスムーズに行うことができる。
【００９５】
本発明に係るパウチ容器は、上述した実施形態に限定されるものではない。本発明に係るパウチ容器の各部の具体的な構成は、種々に設計変更自在である。
【符号の説明】
【００９６】
Ａ１，Ａ１ａ，Ａ１ｂ，Ａ１ｃ，Ａ２，Ａ２ａ，Ａ２ｂ，Ａ２ｃ，Ａ２ｄ，Ａ２ｅ，Ａ３：パウチ容器
Ｂ１    ：包材
１Ａ    ：表面シート
１Ａｚ，１Ｂｚ，５３ｚ：長尺体
１Ｂ    ：裏面シート
２Ａ    ：第１主部
２Ｂ    ：第２主部
３Ａ    ：第１副部
３Ｂ    ：第２副部
３１Ａ，３１Ｂ：内片
４Ａ    ：第１内部空間
４Ｂ    ：第２内部空間
５Ａ    ：第１挿通口
５Ｂ    ：第２挿通口
６ｚ    ：シール部
８      ：折返し維持部
１０    ：パウチ容器
１１Ａ  ：第１切り欠き
１２Ａ  ：第１切り込み
１２Ｂ  ：第２切り込み
１３Ａ  ：第１舌片
１３Ｂ  ：第２舌片
１５Ａ  ：第１折り返し部
１５Ｂ  ：第２折り返し部
１５０Ａ：折り返し予定線
１６Ａ，１６Ｂ：折り返し部
５１    ：充填部
５２    ：開口部
５３    ：チャック
５４    ：注出部
６１    ：底シール部
６２    ：側方シール部
６３    ：注出シール部
７１    ：吊り下げ孔
７２    ：係止部
８１    ：接合部
８１Ａ  ：第１接合部
８１Ｂ  ：第２接合部
８２Ａ  ：第１高剛性体
８２Ｂ  ：第２高剛性体
ＣＬ    ：切断線
【図１】
2019043620.tif 000003
【図２】
2019043620.tif 000004
【図３】
2019043620.tif 000005
【図４】
2019043620.tif 000006
【図５】
2019043620.tif 000007
【図６】
2019043620.tif 000008
【図７】
2019043620.tif 000009
【図８】
2019043620.tif 000010
【図９】
2019043620.tif 000011
【図１０】
2019043620.tif 000012
【図１１】
2019043620.tif 000013
【図１２】
2019043620.tif 000014
【図１３】
2019043620.tif 000015
【図１４】
2019043620.tif 000016
【図１５】
2019043620.tif 000017
【図１６】
2019043620.tif 000018
【図１７】
2019043620.tif 000019
【図１８】
2019043620.tif 000020
【図１９】
2019043620.tif 000021
【図２０】
2019043620.tif 000022
【図２１】
2019043620.tif 000023
【図２２】
2019043620.tif 000024
【図２３】
2019043620.tif 000025
【図２４】
2019043620.tif 000026
【図２５】
2019043620.tif 000027
【図２６】
2019043620.tif 000028